(57)【要約】【課題】天井埋込型空気調和機本体に化粧パネルを固定する時、上向きにネジを止めるためネジが落下する恐れがあり、また、ネジが落下するのを防止するため両手で作業をする作業性の問題を改善すること。【解決手段】空気調和機本体１の下面に化粧パネル２が位置し、ドレンパンの下部に設けたフレーム４には係止部４ａが設けられ、化粧パネル２には係止部４ａに引っ掛けるための係止掛け部２ａが形成され、端部には固定ネジ５が貫通する穴部６が端部側を開放してＵ字状の長穴形状に形成されている。固定ネジ５は頭部５ａが蝶形になっており、先端部はネジ部５ｂとして雄ネジ山が設けられ、中間部は直棒部５ｃとして所定の長さの直棒状になっている。固定ネジ５の直棒部５ｃだけが穴部６を通る直径となっており、頭部５ａとネジ部５ｂとは穴部６より大きな直径で係止される。そして、フレーム４には固定ネジ５を締め込むナット部７が設けられている。【選択図】図１
2007010222.tif 000002
【特許請求の範囲】
【請求項１】
天井内部に設置される形態の空気調和機本体と、天井面に露出する形態の化粧パネルとを備え、前記化粧パネルには一部を開放した開口部を有する穴部を設け、前記化粧パネルは前記空気調和機本体に設けた係止部に仮設した後、前記空気調和機本体に設けられたナット部に、前記穴部を通して前記ナット部に締め込む固定ネジにより固定される構成を有し、前記固定ネジは、前記穴部を貫通しない径を有するネジ山を設けた先端側のネジ部と、前記穴部を貫通する径を有するネジ山を設けない直棒部と、前記穴部を貫通しない径を有する頭部とを有し、前記化粧パネルを前記空気調和機本体に仮設した状態で前記穴部に仮止めをした際に、前記穴部より突出した前記直棒部の部分が前記固定ネジのネジ部先端と前記ナット部の下端との間の寸法以上で、かつ、前記化粧パネルを前記空気調和機本体に固定した際に、前記直棒部の長さが前記穴部の下端と前記ナット部の下端との間の寸法以下としたことを特徴とする天井埋込型空気調和機。
【請求項２】
固定ネジの頭部を、工具を用いずに締め付けられる形状としたことを特徴とする請求項１記載の天井埋込型空気調和機。
【請求項３】
化粧パネルの穴部の開口部は、固定ネジの直棒部を横方向から容易に嵌めることができるが、簡単には外れない形態としたことを特徴とする請求項１又は２記載の天井埋込型空気調和機。
【請求項４】
開口部に、穴部側に向けたカエリを形成したことを特徴とする請求項３記載の天井埋込型空気調和機。
【請求項５】
開口部に、弾性材料により狭路を形成したことを特徴とする請求項３記載の天井埋込型空気調和機。
【請求項６】
開口部に、着脱自在の閉鎖部材を備えたことを特徴とする請求項３記載の天井埋込型空気調和機。
【発明の詳細な説明】
【技術分野】
【０００１】
本発明は、化粧パネルの取り付け構造を改善した天井埋込型空気調和機に関するものである。
【背景技術】
【０００２】
従来の天井埋込型空気調和機の化粧パネルの取り付け構造は、天井埋込型空気調和機の本体に仮止めした固定ネジに化粧パネルを直接仮設して、その後固定ネジを締め込むものであった（特許文献１参照）。
【０００３】
図６は、特許文献１に記載された従来の天井埋込型空気調和機の断面図で、図７は化粧パネルの取り付け構造を示す要部斜視図である。図６に示すように、空気調和機本体１０１は、筐体１０２の内部に送風機１０３と熱交換器１０４とドレンパン１０５とが配設されており、空気調和機本体１０１が天井面１０６に合あわせて設置されると、それらを下面から覆うように化粧パネル１０７が設置される。そして、送風機１０３により吸込口１０８から熱交換器１０４を通して吹出口１０９へと空気が流れて空調が行われる。
【０００４】
化粧パネル１０７の取り付け構造は、図７に示すように、化粧パネル１０７に固定ネジ１１０の頭部１１０ａが貫通する大きさの穴と貫通しない穴とを組み合せた異形穴１１１を複数箇所の固定ネジ１１０に合わせて設け、ドレンパン１０５の下部にはナット１１２を溶接したフレーム１１３を設け、化粧パネル１０７を空気調和機本体１０１に下からあてがうようにして、ナット１１２に仮止めした固定ネジ１１０の頭部１１０ａをその異形穴１１１に貫通させると同時に化粧パネル１０７を横にずらして仮設の状態とする。これにより化粧パネル１０７を下から支える必要がなくなり、その後固定ネジ１１０を締め込んで固定するものである。
【特許文献１】実開平０３−０１８４１９号公報
【発明の開示】
【発明が解決しようとする課題】
【０００５】
しかしながら、前記従来の構成では、空気調和機本体に化粧パネルを固定する時、上向きになって固定ネジの位置に見当をつけて探しながら化粧パネルの複数の異形穴にすべての固定ネジの頭部を貫通させる仮設作業にかなりの困難を伴う。少しでもその作業を容易にしようと固定ネジの長さを長くすると、固定ネジに余計な負荷が掛かった場合に固定ネジを受けるナット部分を歪めてしまうなどの課題を有していた。
【０００６】
本発明は、前記従来の課題を解決するもので、空気調和機本体に化粧パネルを固定する時、固定ネジに余計な不可が掛からないようにするとともに、固定ネジの落下を防止して、化粧パネルの取り付け作業を容易とした天井埋込型空気調和機を提供することを目的とする。
【課題を解決するための手段】
【０００７】
前記従来の課題を解決するために、本発明の天井埋込型空気調和機は、空気調和機本体に設けられた係止部に懸下して仮止めする化粧パネルの固定構造であって、この固定構造は、化粧パネルに設けられて一部を開放した開口部を有する穴部と、空気調和機本体に設けられたナット部と、穴部を通してナット部に締め込む固定ネジとを有し、固定ネジは、穴部を貫通しない径を有するネジ山を設けた先端側のネジ部と、穴部を貫通する径を有するネジ山を設けない直棒部と、穴部を貫通しない径を有する頭部とを有し、化粧パネルを空気調和機本体に仮設した状態で穴部に仮止めをした際に、穴部より突出した直棒部の部
分が固定ネジのネジ部先端とナット部の下端との間の寸法以上で、かつ、直棒部の長さが化粧パネルを空気調和機本体に固定が完了した際に、穴部の下端とナット部の下端との間の寸法以下としたことを特徴とするものである。
【０００８】
これによって、化粧パネルを空気調和機本体に仮設するときには係止部を利用することで容易であるとともに固定ネジを使っての不具合を防止することができ、化粧パネルを容易に取付けることができる。
【発明の効果】
【０００９】
本発明の天井埋込型空気調和機は、天井埋込型空気調和機本体に化粧パネルを固定する時、固定ネジに余計な不可が掛からないようにするとともに、固定ネジの落下を防止して、化粧パネルの取り付け作業を容易とした天井埋込型空気調和機を提供することができる。
【発明を実施するための最良の形態】
【００１０】
第１の発明の天井埋込型空気調和機は、天井内部に設置される形態の空気調和機本体と、天井面に露出する形態の化粧パネルとを備え、前記化粧パネルには一部を開放した開口部を有する穴部を設け、前記化粧パネルは前記空気調和機本体に設けた係止部に仮設した後、前記空気調和機本体に設けられたナット部に、前記穴部を通して前記ナット部に締め込む固定ネジにより固定される構成を有し、前記固定ネジは、前記穴部を貫通しない径を有するネジ山を設けた先端側のネジ部と、前記穴部を貫通する径を有するネジ山を設けない直棒部と、前記穴部を貫通しない径を有する頭部とを有し、前記化粧パネルを前記空気調和機本体に仮設した状態で前記穴部に仮止めをした際に、前記穴部より突出した前記直棒部の部分が前記固定ネジのネジ部先端と前記ナット部の下端との間の寸法以上で、かつ、前記化粧パネルを前記空気調和機本体に固定が完了した際に、前記直棒部の長さが前記穴部の下端と前記ナット部の下端との間の寸法以下とすることにより、空気調和機本体に化粧パネルを固定する時、化粧パネルを空気調和機本体の係止部に容易に仮設し、固定ネジを容易に嵌め込んで、ネジ山を設けない直棒部の長さがストロークとなって簡単に化粧パネルを取付けることができる。
【００１１】
第２の発明は、特に第１の発明において、固定ネジの頭部を工具を用いずに締め付けられる形状としたもので、高所作業で手で締めることにより固定ネジを落としてしまう可能性が小さくなり、また工具の扱いや工具の落下等に注意を払うことなく安心して作業ができる。
【００１２】
第３の発明は、第１又は第２の発明において、化粧パネルの穴部の開口部は、固定ネジの直棒部を横方向から容易に嵌めることができるが、簡単には外れない形態としたもので、固定ネジの化粧パネルへの仮止めがワンタッチで容易にできるとともに、外れることを気にせず化粧パネルを仮設でき、作業性が向上する。
【００１３】
第４の発明は、特に第３の発明において、穴部の開口部に、穴部側に向けたカエリを形成したもので、穴部の開口部側より固定ネジの直棒部をカエリを乗り越えて嵌め込むことにより固定ネジが外れることなく、容易に固定ネジを化粧パネルに仮止めできる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における天井埋込型空気調和機の断面図、図２は同化粧パネルの固定構造の要部斜視、図３は同化粧パネルの仮設状態の要部断面図、図４は
同化粧パネルの固定状態の要部断面図である。
【００１６】
図１において、空気調和機本体１の下面に化粧パネル２が位置し、空気調和機本体１内のドレンパン３の下部に設けたフレーム４に化粧パネル２が固定される。
【００１７】
図２において、フレーム４には係止部４ａが設けられ、化粧パネル２には係止部４ａに引っ掛けるための係止掛け部２ａが形成され、端部には固定ネジ５を通す穴部６が端部側を開放してＵ字状の長穴形状に形成されている。固定ネジ５は頭部５ａが蝶形になっており、先端部はネジ部５ｂとして雄ネジ山が設けられ、中間部は直棒部５ｃとして直棒状になっている。固定ネジ５の直棒部５ｃだけが穴部６を通る直径となっており、頭部５ａとネジ部５ｂは穴部６より大きな直径であり係止される。そして、フレーム４には固定ネジ５を締め込むナット部７が溶接されている。
【００１８】
図３と図４において、化粧パネル２をフレーム４に仮設した状態で固定ネジ５を穴部６に仮止めをした際に、穴部６より突出した直棒部５ｃの長さＬ１と固定ネジ５のネジ部先端５ｄとナット部７の下端との間の寸法Ｄ１とは  Ｌ１＞＝Ｄ１、かつ、固定ネジ５を締め込んで化粧パネル２をフレーム４に固定が完了した際に、穴部６より突出した直棒部５ｃの長さＬ１と穴部６の上端とナット部７の下端との間の寸法Ｄ２とは  Ｌ１＜＝Ｄ２となるように設定されている。
【００１９】
図５において、（ａ）は化粧パネル２の端部に形成された穴部６は一方を開口部８としつつ穴部６方向にカエリ９が形成され、固定ネジ５の直棒部５ｃだけは容易に嵌め込むことができると同時に、簡単には外れないようになっている。なお、この形状については、固定ネジ５の直棒部５ｃが嵌め込み易く、外れにくいものであれば良く、図５（ｂ）のように弾性体１０で狭路を形成しても良いし、図５（ｃ）のように開口部８を閉鎖できる着脱自在の閉鎖部材１１を装着するものでも良い。これらによって、固定ネジ５を落として紛失することを防止できる。
【００２０】
以上のように構成された天井埋込型空気調和機について、以下その動作、作用を説明する。まず、化粧パネル２の穴部６に、固定ネジ５の直棒部５ｃを嵌め込んで仮止めしておく。その状態で化粧パネル２を空気調和機本体１の下側からあてがい、化粧パネル２の係止掛け部２ａをフレーム４の係止部４ａに引っ掛けて仮設状態とする。その後、化粧パネル２に仮止めしておいた固定ネジ５のネジ部５ｂを空気調和機本体１のナット部７に手で締め込んでゆく。このときには、化粧パネル２を下から支える必要はもちろんなく、化粧パネル２がフレーム４に当接するまで締め込めばよい。
【００２１】
すなわち、固定ネジ５の直棒部５ｃの長さから化粧パネル２の穴部６近傍の厚みを差し引いた長さがＬ３に相当して固定ネジ５が上下に動くストロークとなるが、化粧パネル２をフレーム４に仮設した状態で穴部６に仮止めをした際に、穴部６より突出した直棒部５ｃの部分の長さＬ１が固定ネジ５の先端部５ｄとナット部７の上端との間の寸法Ｄ１以上で、かつ化粧パネル２を空気調和機本体１に固定が完了した際に、穴部６より突出した直棒部５ｃの部分の長さＬ１が穴部６の上端とナット部７の下端との間の寸法Ｄ２以下、となるように設定しておくことにより、化粧パネル２は手で持ち上げることなく固定ネジ５を締め込むことで持ち上がり、特に締め込み初めが片手で楽にできるものとなり、言及しなかった各部の寸法に関わらずネジ掛かりの不足もないものとなる。
【００２２】
このように、本発明によれば空気調和機本体１のフレーム４に化粧パネル２を容易に仮設して、固定ネジ５も落下させることがなく、さらに片手で固定ネジ５を締め込むことができるというように、作業性を格段に向上することができる。
【００２３】
さらに本発明は、カエリ１１の構成がなくても、化粧パネル２を仮設後に容易に固定ネジ５を穴部６に横から嵌めて固定することが可能であり、特に、蝶ネジのように手だけで締め込むことができれば、工具を使用しての締め込みに比較して格段に固定ネジ５を落とすこともなくなり、紛失の可能性を抑制できて作業性の向上を図ることができる。
【００２４】
また、ナット部７はナットを固定するほかにフレーム４に雌ネジを切っても良い。
【００２５】
なお、直棒部５ｃの長さに関して、固定ネジ５がナット部７に確実に掛かる範囲でＬ１＜Ｄ１の場合には、化粧パネル２を持ち上げながらであれば締め込めるものである。
【産業上の利用可能性】
【００２６】
以上のように、本発明にかかる天井埋込型空気調和機は、空気調和機本体に化粧パネルを固定する時、化粧パネルを容易に仮設できるとともに固定ネジを嵌め込んで締める作業性を向上して簡単に化粧パネルを取付けることができる。
【図面の簡単な説明】
【００２７】
【図１】本発明の実施の形態１における天井埋込型空気調和機の断面図
【図２】同天井埋込型空気調和機の化粧パネルの固定構造の要部斜視図
【図３】同天井埋込型空気調和機の化粧パネル仮設状態の要部断面図
【図４】同天井埋込型空気調和機の化粧パネル固定状態の要部断面図
【図５】（ａ），（ｂ），（ｃ）同天井埋込型空気調和機の化粧パネルの要部平面図
【図６】従来の天井埋込型空気調和機の断面図
【図７】従来の天井埋込型空気調和機の要部斜視図
【符号の説明】
【００２８】
１  空気調和機本体
２  化粧パネル
２ａ  係止掛け部
４  フレーム
４ａ  係止部
５  固定ネジ
５ａ  頭部
５ｂ  ネジ部
５ｃ  直棒部
５ｄ  先端部
６  穴部
７  ナット部
８  開口部
９  カエリ
１０  弾性部材
１１  閉鎖部材
Ｌ１  直棒部の長さから化粧パネルの厚みを差し引いた長さ（穴部より突出した直棒部の長さ）
Ｄ１  固定ネジのネジ部先端とナット部の下端との間の寸法
Ｄ２  穴部の上端とナット部の下端との間の寸法
【図１】
2007010222.tif 000003
【図２】
2007010222.tif 000004
【図３】
2007010222.tif 000005
【図４】
2007010222.tif 000006
【図５】
2007010222.tif 000007
【図６】
2007010222.tif 000008
【図７】
2007010222.tif 000009